(57)【要約】【課題】ＳＩＰ対応携帯電話でＳＩＰを単純にＴＣＰ／ＩＰ上に実装したのでは、着信待ち状態でもＭＳ（ＳＩＰ　ＭＳ）が常時ＩＰアドレスを持つことになりＩＰが無駄に使われ、また、無線区間に不要なＴＣＰ／ＩＰのヘッダやコントロールデータが出ることになり、無線区間の利用効率が悪い。この問題を解決する。【解決手段】ＳＩＰ対応携帯電話システムにおいて、ＴＣＰ／ＩＰをＳＩＰ専用のゲートウェイ（ＳＩＰ　ＧＷ）で解析し、ＭＳ（Ｍｏｂｉｌｅ　Ｓｔａｔｉｏｎ：携帯電話移動機）に対してはＳＩＰ以上のプロトコル信号だけを、携帯電話ネットワークの制御信号上で取り扱うことにより、不要なＴＣＰ／ＩＰの制御信号やヘッダを除去する。【選択図】　　　　図１
2004023336.tif 000002
【特許請求の範囲】
【請求項１】
ＳＩＰに対応するようにシステムを構成し、ＴＣＰ／ＩＰをＳＩＰ専用のゲートウェイで解析し、ＭＳ（Ｍｏｂｉｌｅ　Ｓｔａｔｉｏｎ：携帯電話移動機）に対してはＳＩＰ以上のプロトコル信号だけを、携帯電話ネットワークの制御信号上で取り扱うようにすることを特徴とする携帯電話システムにおける通信制御方法。
【請求項２】
前記ＳＩＰ専用のゲートウェイにより無線区間に不要なＴＣＰ／ＩＰのヘッダを削除することを特徴とする請求項１に記載の携帯電話システムにおける通信制御方法。
【請求項３】
前記ＳＩＰ専用のゲートウェイにより無線区間に不要なＴＣＰ／ＩＰのプロトコルデータを削除することを特徴とする請求項１に記載の携帯電話システムにおける通信制御方法。
【請求項４】
前記ＳＩＰ専用のゲートウェイにより無線区間に不要なＴＣＰ／ＩＰのヘッダ及びプロトコルデータを削除することを特徴とする請求項１に記載の携帯電話システムにおける通信制御方法。
【請求項５】
ＳＩＰに対応するようにシステムを構成し、ＳＩＰの着信後にＭＳ（Ｍｏｂｉｌｅ　Ｓｔａｔｉｏｎ：携帯電話移動機）がＩＰアドレスの割当をＤＨＣＰ（Ｄｙｎａｍｉｃ　Ｈｏｓｔ　Ｃｏｎｆｉｇｕｒａｔｉｏｎ　Ｐｒｏｔｏｃｏｌ）等のプロトコルを用いて取得し、呼が開放されて後、該ＩＰアドレスを開放することにより、ＳＩＰ　ＭＳの着信待ちで、常時ＩＰアドレスを占有しないようにしたことを特徴とする携帯電話システムにおける通信制御方法。
【請求項６】
ＳＩＰに対応するようにシステムを構成し、ＴＣＰ／ＩＰをＳＩＰ専用のゲートウェイで解析し、ＭＳ（Ｍｏｂｉｌｅ　Ｓｔａｔｉｏｎ：携帯電話移動機）に対してはＳＩＰ以上のプロトコル信号だけを、携帯電話ネットワークの制御信号上で取り扱うようにするようにし、且つ、ＳＩＰの着信後に前記ＭＳがＩＰアドレスの割当をＤＨＣＰ（Ｄｙｎａｍｉｃ　Ｈｏｓｔ　Ｃｏｎｆｉｇｕｒａｔｉｏｎ　Ｐｒｏｔｏｃｏｌ）等のプロトコルを用いて取得し、呼が開放されて後、該ＩＰアドレスを開放することにより、ＳＩＰ　ＭＳの着信待ちで、常時ＩＰアドレスを占有しないようにしたことを特徴とする携帯電話システムにおける通信制御方法。
【請求項７】
前記ＳＩＰ専用のゲートウェイにより無線区間に不要なＴＣＰ／ＩＰのヘッダを削除することを特徴とする請求項６に記載の携帯電話システムにおける通信制御方法。
【請求項８】
前記ＳＩＰ専用のゲートウェイにより無線区間に不要なＴＣＰ／ＩＰのプロトコルデータを削除することを特徴とする請求項６に記載の携帯電話システムにおける通信制御方法。
【請求項９】
前記ＳＩＰ専用のゲートウェイにより無線区間に不要なＴＣＰ／ＩＰのヘッダ及びプロトコルデータを削除することを特徴とする請求項６に記載の携帯電話システムにおける通信制御方法。
【請求項１０】
ＳＩＰに対応するようにシステムを構成し、ＳＩＰ　ＭＳ（ＳＩＰ　Ｍｏｂｉｌｅ　Ｓｔａｔｉｏｎ：携帯電話移動機）にて、電源投入後に位置登録動作を行うと共にＳＩＰ　専用のゲートウェイに対してＭＳ固有の情報ＩＭＳＩを含むＡＴＴＡＣＨ　ＲＥＱＵＥＳＴ　メッセージを送信するに際し該メッセージを拡張してＳＩＰ　ＩＤ情報も付与して送出し、前記ＳＩＰ　専用のゲートウェイ側では、取得した前記ＩＭＳＩとＳＩＰ　ＩＤ情報をＨＬＲ／ＨＳＳ（Ｈｏｍｅ　Ｌｏｃａｔｉｏｎ　Ｒｅｇｉｓｔｅｒ／Ｈｏｍｅ　Ｓｕｂｓｃｒｉｂｅｒ　Ｓｅｒｖｅｒ）へ転送し、ＨＬＲ／ＶＬＲ（Ｈｏｍｅ　Ｌｏｃａｔｉｏｎ　Ｒｅｇｉｓｔｅｒ／Ｖｉｓｉｔｏｒ　Ｌｏｃａｔｉｏｎ　Ｒｅｇｉｓｔｅｒ）にて位置登録完了を示すＡＴＴＣＨ　ＡＣＣＥＰＴ（ＩＭＳＩを含む）を前記ＳＩＰ　専用のゲートウェイへ送信する際に際しＳＩＰのＯＫメッセージ情報も付与して送出し、次いで、前記ＳＩＰ　専用のゲートウェイ側では、該ＯＫメッセージ情報を前記ＳＩＰ　ＭＳに対して転送することを特徴とする携帯電話システムにおける通信制御方法。
【請求項１１】
ＳＩＰに対応するようにシステムを構成し、位置登録（ａｔｔａｃｈ）信号にＳＩＰのｒｅｇｉｓｔｒａｔｉｏｎ情報を付加し、位置登録とＳＩＰ　ｒｅｇｉｓｔｒａｔｉｏｎを同時に実行することを特徴とする携帯電話システムにおける通信制御方法。
【発明の詳細な説明】
【０００１】
【発明の属する技術分野】
本発明は、携帯電話システムにおける通信制御方法に関し、特に、第３世代の携帯電話システムの通信制御の効率化に関する。
【０００２】
【従来の技術】
第三世代の携帯電話システムにＳＩＰ（Ｓｅｓｓｉｏｎ　Ｉｎｉｔｉａｔｉｏｎ　Ｐｒｏｔｏｃｏｌ）の導入が検討されている。ＳＩＰは、ＩＰ網を使った電話を実現するため、一般の電話サービスが持つ呼の制御を行うためのプロトコルであり、１９９９年３月にＲＦＣ２５４３としてＩＥＴＦ（Ｉｎｔｅｒｎｅｔ　Ｅｎｇｉｎｅｅｒｉｎｇ　Ｔａｓｋ　Ｆｏｒｃｅ）に提出された。着信課金や転送電話機能、発信者番号通知などを行うための機能が備えられている。このプロトコルを導入したシステムでは、パケット交換網において、ＶｏＩＰ（ｖｏｉｃｅ　ｏｖｅｒ　ＩＰ）のサービスやｍｕｌｔｉｍｅｄｉａ　ｃａｌｌ等の接続を行うという特徴がある。
【０００３】
しかし、現在検討されている方法はＳＩＰをＴＣＰ／ＩＰ上に実装するため、着信待ち状態でも、ＳＩＰ対応のＭＳ（ＳＩＰ　ＭＳ）は常にＩＰアドレスを持たなくてはならなくＩＰの枯渇につながる。また、無線区間に不要なＴＣＰ／ＩＰのヘッダやコントロールデータが出ることになり、無線区間の効率的利用を阻害するという問題があった。
【０００４】
即ち、上記検討されている方法では、通信中以外でも常にＩＰアドレスを占有することになるが、携帯電話システムにおいては、ＩＰアドレスが存在しなくとも、独自の方法で移動機と通信を開始する事が可能なため、ＩＰアドレスを無駄に占有する事になる。また、ＳＩＰは全てのパケットをクライアントとサーバ間でのみ伝達すればよく、また携帯電話システムにおいては、移動機は位置をすべてネットワークで管理されている為、ＴＣＰ／ＩＰ　ヘッダのルーティング機能は冗長である。
【０００５】
図１０は、従来のＳＩＰシステム全体の構成を表すブロック図である。このシステムでは、ＳＩＰサーバやＨＳＳ（Ｈｏｍｅ　Ｓｕｂｓｃｒｉｂｅｒ　Ｓｅｒｖｅｒ）等は全てインターネット上に配置され、ＳＩＰ　ＭＳは予めＩＰアドレスの取得をＧＧＳＮ（Ｇａｔｅｗａｙ　ＧＰＲＳ　ｓｕｐｐｏｒｔ　ｎｏｄｅ　；　尚、ＧＰＲＳ（Ｇｅｎｅｒａｌ　Ｐａｃｋｅｄ　Ｒａｔｉｏ　Ｓｅｒｖｉｃｅ））に対して要求する必要がある。ＩＰアドレスの取得後は、一般的なＳＩＰクライアントと同様な動作を行う。
【０００６】
図１１は、図１０のシステムに係るプロトコルを表す図である。ＧＧＳＮとＳＩＰサーバは分離しており、ＳＩＰサーバとＳＩＰ　ＭＳ間も含め、全ての上位層はＴＣＰ／ＩＰ上にマッピングされている。ＳＩＰサーバはＳＩＰ　ＭＳとＳＩＰメッセージの授受を行うときには、ＴＣＰ／ＩＰ上で通信を行なう。即ち、ＳＩＰ　ＭＳへＳＩＰメッセージを送ることはできない。
【０００７】
固定ユーザアドレスが未割当、かつ、非パケット通信中の移動通信端末に対するパケット着信を可能にし、かつ、ユーザからの通信開始要求ごとにユーザアドレスを動的に割当を行って、そのパケット通信の利便性の向上を図り、また、有限であるユーザアドレスの有効活用を可能にしようとする提案は特開平２００１−３３３１１１号公報に開示されている。
【０００８】
また、相手移動機の電話番号を元にＩＰヘッダの付け替えをしてＩＰアドレスを持たない移動機に対しても、ＩＰデータの着信を可能ならしめ、更に、着信時にのみＩＰアドレスを一時的に割り振るようにすることにより、限りあるグローバルＩＰアドレスを有効に使用するといった技術の提案が特開平２００２−１０３２４号公報に開示されている。
【０００９】
しかしながら、上記何れの公報所載の技術も、携帯電話をＳＩＰ対応のシステムとしたときにＳＩＰを単純にＴＣＰ／ＩＰ上に実装することによる非効率な点を改善しようとする観点からの課題認識はなく、従って、このような課題の解決方法を提供する提案ではない。
【００１０】
【発明が解決しようとする課題】
本発明は、上述のような事情に鑑みてなされたものであり、次のような点を、各該当する発明の目的としている。
【００１１】
携帯電話をＳＩＰ対応のシステムとしたときに、ＩＰアドレスが割り当てられていないＭＳ（Ｍｏｂｉｌｅ　Ｓｔａｔｉｏｎ：携帯電話移動機）に対して、ＳＩＰのセッションを開始する事が可能にすること。
【００１２】
ｒｅｇｉｓｔｒａｔｉｏｎ後の待ち受け中、ＭＳに対してＩＰアドレスを割り当てる必要がなく、移動機の待ち受け動作中に、常にＩＰアドレスを管理しておく必要をなくし、実装を容易にすること。
【００１３】
ＳＩＰシグナリングにＴＣＰ／ＩＰを用いず、ＴＣＰ／ＩＰのヘッダ部分のｏｖｅｒｈｅａｄを削減し、無線資源を効率よく使用できるようにすること。
【００１４】
【課題を解決するための手段】
上述の課題を解決する本発明は、概略、次のような点を特徴としている。
【００１５】
ＳＩＰ対応携帯電話システムにおいて、ＴＣＰ／ＩＰをＳＩＰ専用のゲートウェイ（ＳＩＰ　ＧＷ）で解析し、ＭＳ（Ｍｏｂｉｌｅ　Ｓｔａｔｉｏｎ：携帯電話移動機）に対してはＳＩＰ以上のプロトコル信号だけを、携帯電話ネットワークの制御信号上で取り扱うことにより、不要なＴＣＰ／ＩＰの制御信号やヘッダを除去する。
【００１６】
またＳＩＰの着信後にＭＳがＩＰアドレスの割当をＤＨＣＰ（Ｄｙｎａｍｉｃ　Ｈｏｓｔ　Ｃｏｎｆｉｇｕｒａｔｉｏｎ　Ｐｒｏｔｏｃｏｌ）等のプロトコルを用いて取得し、呼が開放されたら、そのアドレスを開放する。
【００１７】
これらにより、ＳＩＰ　ＭＳの着信待ちで、常時ＩＰアドレスを占有せず、ＩＰ資源を効率よく利用できる。また無線区間に出て行く信号を、必要最小限に抑えられる。
【００１８】
以下に、本発明の携帯電話システムにおける通信制御方法を列記する。
【００１９】
（１）ＳＩＰに対応するようにシステムを構成し、ＴＣＰ／ＩＰをＳＩＰ専用のゲートウェイで解析し、ＭＳ（Ｍｏｂｉｌｅ　Ｓｔａｔｉｏｎ：携帯電話移動機）に対してはＳＩＰ以上のプロトコル信号だけを、携帯電話ネットワークの制御信号上で取り扱うようにする携帯電話システムにおける通信制御方法。
【００２０】
（２）前記ＳＩＰ専用のゲートウェイにより無線区間に不要なＴＣＰ／ＩＰのヘッダを削除する上記（１）の携帯電話システムにおける通信制御方法。
【００２１】
（３）前記ＳＩＰ専用のゲートウェイにより無線区間に不要なＴＣＰ／ＩＰのプロトコルデータを削除する上記（１）の携帯電話システムにおける通信制御方法。
【００２２】
（４）前記ＳＩＰ専用のゲートウェイにより無線区間に不要なＴＣＰ／ＩＰのヘッダ及びプロトコルデータを削除する上記（１）の携帯電話システムにおける通信制御方法。
【００２３】
（５）ＳＩＰに対応するようにシステムを構成し、ＳＩＰの着信後にＭＳ（Ｍｏｂｉｌｅ　Ｓｔａｔｉｏｎ：携帯電話移動機）がＩＰアドレスの割当をＤＨＣＰ（Ｄｙｎａｍｉｃ　Ｈｏｓｔ　Ｃｏｎｆｉｇｕｒａｔｉｏｎ　Ｐｒｏｔｏｃｏｌ）等のプロトコルを用いて取得し、呼が開放されて後、該ＩＰアドレスを開放することにより、ＳＩＰ　ＭＳの着信待ちで、常時ＩＰアドレスを占有しないようにした携帯電話システムにおける通信制御方法。
【００２４】
（６）ＳＩＰに対応するようにシステムを構成し、ＴＣＰ／ＩＰをＳＩＰ専用のゲートウェイで解析し、ＭＳ（Ｍｏｂｉｌｅ　Ｓｔａｔｉｏｎ：携帯電話移動機）に対してはＳＩＰ以上のプロトコル信号だけを、携帯電話ネットワークの制御信号上で取り扱うようにするようにし、且つ、ＳＩＰの着信後に前記ＭＳがＩＰアドレスの割当をＤＨＣＰ（Ｄｙｎａｍｉｃ　Ｈｏｓｔ　Ｃｏｎｆｉｇｕｒａｔｉｏｎ　Ｐｒｏｔｏｃｏｌ）等のプロトコルを用いて取得し、呼が開放されて後、該ＩＰアドレスを開放することにより、ＳＩＰ　ＭＳの着信待ちで、常時ＩＰアドレスを占有しないようにした携帯電話システムにおける通信制御方法。
【００２５】
（７）前記ＳＩＰ専用のゲートウェイにより無線区間に不要なＴＣＰ／ＩＰのヘッダを削除する上記（６）の携帯電話システムにおける通信制御方法。
【００２６】
（８）前記ＳＩＰ専用のゲートウェイにより無線区間に不要なＴＣＰ／ＩＰのプロトコルデータを削除する上記（６）の携帯電話システムにおける通信制御方法。
【００２７】
（９）前記ＳＩＰ専用のゲートウェイにより無線区間に不要なＴＣＰ／ＩＰのヘッダ及びプロトコルデータを削除する上記（６）の携帯電話システムにおける通信制御方法。
【００２８】
（１０）ＳＩＰに対応するようにシステムを構成し、ＳＩＰ　ＭＳ（ＳＩＰ　Ｍｏｂｉｌｅ　Ｓｔａｔｉｏｎ：携帯電話移動機）にて、電源投入後に位置登録動作を行うと共にＳＩＰ　専用のゲートウェイに対してＭＳ固有の情報ＩＭＳＩを含むＡＴＴＡＣＨ　ＲＥＱＵＥＳＴ　メッセージを送信するに際し該メッセージを拡張してＳＩＰ　ＩＤ情報も付与して送出し、前記ＳＩＰ　専用のゲートウェイ側では、取得した前記ＩＭＳＩとＳＩＰ　ＩＤ情報をＨＬＲ／ＨＳＳ（Ｈｏｍｅ　Ｌｏｃａｔｉｏｎ　Ｒｅｇｉｓｔｅｒ／Ｈｏｍｅ　Ｓｕｂｓｃｒｉｂｅｒ　Ｓｅｒｖｅｒ）へ転送し、ＨＬＲ／ＶＬＲ（Ｈｏｍｅ　Ｌｏｃａｔｉｏｎ　Ｒｅｇｉｓｔｅｒ／Ｖｉｓｉｔｏｒ　Ｌｏｃａｔｉｏｎ　Ｒｅｇｉｓｔｅｒ）にて位置登録完了を示すＡＴＴＣＨ　ＡＣＣＥＰＴ（ＩＭＳＩを含む）を前記ＳＩＰ　専用のゲートウェイへ送信する際に際しＳＩＰのＯＫメッセージ情報も付与して送出し、次いで、前記ＳＩＰ　専用のゲートウェイ側では、該ＯＫメッセージ情報を前記ＳＩＰ　ＭＳに対して転送する携帯電話システムにおける通信制御方法。
【００２９】
（１１）ＳＩＰに対応するようにシステムを構成し、位置登録（ａｔｔａｃｈ）信号にＳＩＰのｒｅｇｉｓｔｒａｔｉｏｎ情報を付加し、位置登録とＳＩＰ　ｒｅｇｉｓｔｒａｔｉｏｎを同時に実行する携帯電話システムにおける通信制御方法。
【００３０】
【発明の実施の形態】
以下、本発明の好適実施形態について詳細に説明する。
【００３１】
図１は本発明のシステム全体の構成示すブロック図である。本発明は、ＳＩＰＭＳ１と、ＢＳＳ（Ｂａｓｅ　Ｓｔａｔｉｏｎ　Ｓｕｂｓｙｓｔｅｍ）２と、モバイルネットワーク３と、ＨＬＲ／ＨＳＳ（Ｈｏｍｅ　Ｌｏｃａｔｉｏｎ　Ｒｅｇｉｓｔｅｒ／Ｈｏｍｅ　Ｓｕｂｓｃｒｉｂｅｒ　Ｓｅｒｖｅｒ）４と、ＳＩＰ　ＧＷ５と、インターネット６とジェネリック　ＳＩＰ　クライアント７で構成される。
【００３２】
ＳＩＰ　ＭＳ１は本発明で用いるＳＩＰ（Ｓｅｓｓｉｏｎ　Ｉｎｉｔｉａｔｉｏｎ　Ｐｒｏｔｏｃｏｌ）機能搭載のＭＳ（Ｍｏｂｉｌｅ　Ｓｔａｔｉｏｎ：携帯電話移動機）であり、ＢＳＳ２と無線を用いて交信することができる。ＢＳＳ２はＳＩＰ　ＭＳ１の無線を終端し、その信号をモバイルネットワーク３へ転送する。モバイルネットワーク３にはＢＳＳ２と前記のＨＬＲ／ＨＳＳ４とＳＩＰ　ＧＷ５が接続されており、各ノード間の信号のやり取りを行う。
【００３３】
ＨＬＲ／ＶＬＲ（Ｈｏｍｅ　Ｌｏｃａｔｉｏｎ　Ｒｅｇｉｓｔｅｒ／Ｖｉｓｉｔｏｒ　Ｌｏｃａｔｉｏｎ　Ｒｅｇｉｓｔｅｒ）４はモバイルネットワーク３に対して、ＭＳ固有の情報（ＩＭＳＩやＳＩＰ　ＩＤ等）を保存するレジスタである。ＳＩＰ　ＧＷ５はインターネット６とモバイルネットワーク３間のゲートウェイ機能を持ち、又ＳＩＰ　サーバの機能も同時に有する。
【００３４】
インターネット６はＩＰｖ４またはＩＰｖ６等で構成されるインターネットである。本発明ではＩＰｖ４とＩＰｖ６の区別は問わない。ジェネリック　ＳＩＰ　クライアント７はインターネット６に接続されている一般的なＳＩＰ端末であり、本発明による影響は一切受けない。
【００３５】
図２は本発明に係るＳＩＰ　ＭＳとＳＩＰ　ＧＷとの構成を示すブロック図である。
【００３６】
ＳＩＰ　ＭＳ１は、ＣＰＵ２０１、メモリ２０２、無線インタフェース部２０３、マイクロフォン２０４、カメラ２０５、キーボード２０６、スピーカ２０７、及び、ディスプレイ２０８を含んで構成される。
【００３７】
ＣＰＵ２０１はＳＩＰ　ＭＳ１の各部を統括的に制御する。メモリ２０２はＣＰＵ２０１で使用されるＲＯＭまたはＲＡＭである。無線インタフェース部２０３はＷ−ＣＤＭＡやＧＳＭ等の無線インタフェース　プロトコルの終端を行う。マイクロフォン２０４は音声等を入力する装置であり、カメラ２０５は動画像を入力する装置であり、キーボード２０６はユーザ操作を入力する装置であり、スピーカ２０７は音声等を出力する装置であり、ディスプレイ２０８は動画像や静止画等を表示する装置である。
【００３８】
ＳＩＰ　ＧＷ５は、ＣＰＵ２１１、メモリ２１２、無線インタフェース部２０３、及び、ＴＣＰ／ＩＰ　部２１４を含んで構成される。
【００３９】
ＣＰＵ２１１はＳＩＰ　ＧＷ５の各部を統括的に制御する。メモリ２１２はＣＰＵ２１１で使用されるＲＯＭ、ＲＡＭまたはディスク装置である。無線インタフェース部２１３はＷ−ＣＤＭＡやＧＳＭ等の無線インタフェース　プロトコルの終端を行う。ＴＣＰ／ＩＰ　部２１４はインターネット６と通信を行う為の物理的装置である。ＴＣＰ／ＩＰ　プロトコル自体の処理はＣＰＵ２１１で実行される。
【００４０】
図３は本発明のプロトコルを説明するための図である。図３では簡略化の為、ＳＩＰ　ＭＳ１とＳＩＰ　ＧＷ５とジェネリック　ＳＩＰ　クライアント７の構成のみを示している。
【００４１】
ＳＩＰ　ＭＳ１は、アプリケーション３０１、ＳＩＰ３０２、ＴＣＰ／ＩＰ３０３、及び、無線インタフェース３０４のプロトコルを含んでなる。
【００４２】
アプリケーション３０１はテレビ電話機能や音声の取り扱いなど主にユーザ向けのプロトコルであり、データ（図中　アプリケーションデータ）　はＴＣＰ／ＩＰ３０３上にマッピングされ、発呼や着呼の操作（図中ＳＩＰシグナリング）はＳＩＰ３０２上にマッピングされる。
【００４３】
ＳＩＰ３０２はＳＩＰ　プロトコルの終端を行い、本発明ではＴＣＰ／ＩＰ３０３上にはマッピングせずに直接無線インタフェース３０４上にマッピングされる。無線インターフェース３０４はＳＩＰ　ＧＷ５と通信する為のプロトコルである。
【００４４】
ＳＩＰ　ＧＷ５は、ＳＩＰ　サーバ３１１、無線インタフェース３１２、ＴＣＰ／ＩＰ３１３、及び、ＴＣＰ／ＩＰ３１４からなる。
【００４５】
ＳＩＰ　サーバ３１１は、ＳＩＰシグナリングとアプリケーションデータの中継をする機能と、ＧＳＮ（ＧＰＲＳ　ｓｕｐｐｏｒｔ　ｎｏｄｅ　）の機能と、無線インタフェース３１２上にマッピングされるＳＩＰシグナリングとＴＣＰ／ＩＰ３１４上にマッピングされるＳＩＰシグナリングとを変換する機能を有する。無線インタフェース３１２はＳＩＰ　ＭＳ１と通信する為のプロトコルである。ＴＣＰ／ＩＰ３１３は無線インタフェース側のアプリケーションデータのＴＣＰ／ＩＰを終端する。ＴＣＰ／ＩＰ３１４はインターネット側のアプリケーションデータとＳＩＰシグナリングのＴＣＰ／ＩＰを終端する。
【００４６】
ジェネリック　ＳＩＰ　クライアント７はＴＣＰ／ＩＰ３２１、ＳＩＰ３２２、及び、アプリケーション３２３を含んでなる。
【００４７】
ＴＣＰ／ＩＰ３２１はインターネットを終端し、アプリケーションデータ及びＳＩＰシグナリングを上位層へマッピングする。ＳＩＰ３２２はＳＩＰシグナリングを終端し、その情報をアプリケーション３２３に通知する。アプリケーション３２３はアプリケーション３０１と同様のプロトコルである。
【００４８】
図４、図５及び図６は、本発明の実施形態を示すシーケンスチャートである。以下に各図を参照しながら、典型的なｒｅｇｉｓｔｒａｔｉｏｎ、発信、着信に着目して本発明の実施形態を説明する。
【００４９】
図４のｒｅｇｉｓｔｒａｔｉｏｎは、ＳＩＰ　ＭＳ１をＨＬＲ／ＨＳＳ４へ登録する為の動作である。この動作は、電源投入時等に位置登録（ＡＴＴＡＣＨ）後に行われる。本発明に適用されるＳＩＰ　ＭＳ１は、一般的なＳＩＰ機能搭載ＭＳとは異なり、Ｒｅｇｉｓｔｒａｔｉｏｎ中にはＩＰアドレスの割当は必要ない。
【００５０】
ステップＳ４０１において、ＳＩＰ　ＭＳ１はＳＩＰ　ＧＷ５に対してレジスタメッセージを送信する。レジスタにはＳＩＰ上で加入者を識別するＳＩＰ　ＵＲＬ　等のＳＩＰ　ＩＤを含む。この時、レジスタ　メッセージは携帯電話システム特有の信号（Ｌ３信号、ＭＡＰ、ＳＭＳ等）でＳＩＰ　ＧＷ５まで伝達される。
【００５１】
ステップＳ４０２において、ＳＩＰ　ＧＷ５は、ＳＩＰ　ＭＳ１から受信したＳＩＰ　ＩＤとＳＩＰ　ＭＳ１に割り付けられているＩＭＳＩ（携帯電話システム特有のＩＤ：Ｉｎｔｅｒｎａｔｉｏｎａｌ　Ｍｏｂｉｌｅ　Ｓｕｂｓｃｒｉｂｅｒ　Ｉｄｅｎｔｉｆｉｅｒ）のペアをＨＬＲ／ＨＳＳ４に登録する。ＨＬＲ／ＨＳＳ４は、受け取ったＩＭＳＩとＳＩＰ　ＩＤの組み合わせをデータベースに記憶する。
【００５２】
ステップＳ４０３において、ＨＬＲ／ＨＳＳ４はＳＩＰ　ＧＷ５にＯＫにてｒｅｇｉｓｔｒａｔｉｏｎ完了を通知する。
【００５３】
ステップＳ４０４において、ＳＩＰ　ＧＷ５はＳＩＰ　ＭＳ１に対してＯＫにてｒｅｇｉｓｔｒａｔｉｏｎ完了を通知する。
【００５４】
図５のＳＩＰ発信は、ＳＩＰ　ＭＳ１からジェネリック　ＳＩＰ　クライアント７宛てに発信をする為の動作である。この動作は、ｒｅｇｉｓｔｒａｔｉｏｎ後に行われる。本発明のＳＩＰ　ＭＳ１は、一般的なＳＩＰ機能搭載ＭＳとは異なり、発信開始時にはＩＰアドレスは必要ない。
【００５５】
ステップＳ５０１において、ＳＩＰ　ＭＳ１はＳＩＰ　ＧＷ５に対してＩｎｖｉｔｅ　メッセージを送信する。Ｉｎｖｉｔｅ　メッセージは通信相手のＳＩＰ　ＩＤと、音声や動画像等の種別とポート番号等を示すＳＤＰ（Ｓｅｓｓｉｏｎ　Ｄｅｓｃｒｉｐｔｉｏｎ　Ｐｒｏｔｏｃｏｌ　）を含む。
【００５６】
ステップＳ５０２において、ＳＩＰ　ＧＷ５はＨＬＲ／ＨＳＳ４に対してＳＩＰ　ＩＤを送信する。
【００５７】
ステップＳ５０３において、ＨＬＲ／ＨＳＳ４はジェネリック　ＳＩＰ　クライアント７のＩＰアドレスをＳＩＰ　ＩＤを元にデータベースから検索し、ＳＩＰ　ＧＷ５へ送信する。
【００５８】
ステップＳ５０４において、ＳＩＰ　ＧＷ５はステップＳ５０１で取得したＩｎｖｉｔｅ　メッセージをジェネリック　ＳＩＰ　クライアント７へ転送する。
【００５９】
ステップＳ５０５において、ジェネリック　ＳＩＰ　クライアント７は受信したＳＤＰを解析し、自分の能力に適合するようにＳＤＰを修正し、ＳＩＰ　ＧＷ５へ送信する。
【００６０】
ステップＳ５０６において、ＳＩＰ　ＧＷ５はＳＩＰ　ＭＳ１へＳＤＰを送信する。
【００６１】
ステップＳ５０７において、ＳＩＰ　ＭＳ１は受信したＳＤＰを判断し、最終的に使用するＳＤＰを決め、ＳＩＰ　ＧＷ１へｆｉｎａｌ　ＳＤＰとして転送する。
【００６２】
ステップＳ５０８において、ＳＩＰ　ＧＷ５は受信したｆｉｎａｌ　ＳＤＰをジェネリック　ＳＩＰ　クライアント７へ転送する。
【００６３】
またステップＳ５０９において、ＳＩＰ　ＭＳ１は、ｆｉｎａｌ　ＳＤＰの内容に沿ったＡｃｔｉｖａｔｅ　ＰＤＰ　Ｃｏｎｔｅｘｔ　ＲｅｑｕｅｓｔをＳＩＰ　ＧＷ５へ送信する。
【００６４】
ステップＳ５１０において、ＳＩＰ　ＧＷ５はＤＨＣＰ等を用いてＩＰアドレスを獲得し、ＳＩＰ　ＭＳ１へＡｃｔｉｖａｔｅ　ＰＤＰ　Ｃｏｎｔｅｘｔ　Ａｃｃｅｐｔを送信し、ＳＩＰ　ＭＳ１はこの時点でＴＣＰ／ＩＰを使用しての通信が可能となる。
【００６５】
ステップＳ５１１において、ＳＩＰ　ＭＳ１はｓｕｃｃｅｓｓ　ｍｅｓｓａｇｅ（”Ｒｅｓｏｕｒｃｅ　Ｒｅｓｅｒｖａｔｉｏｎ　Ｓｕｃｃｅｓｓｆｕｌ”　メッセージ）を、ＳＩＰ　ＧＷ５へ送信する。
【００６６】
ステップＳ５１２において、ＳＩＰ　ＧＷ５はｓｕｃｃｅｓｓ　ｍｅｓｓａｇｅをジェネリックＳＩＰ　クライアント７へ転送する。
【００６７】
ステップＳ５１３において、ジェネリック　ＳＩＰ　クライアント７はユーザへのａｌｅｒｔｉｎｇを開始し、ＳＩＰ　ＧＷ５へＲｉｎｇｉｎｇ　メッセージを送信する。
【００６８】
ステップＳ５１４において、ＳＩＰ　ＧＷ５はＳＩＰ　ＭＳ１へＲｉｎｇｉｎｇ　メッセージを転送する。
【００６９】
ステップＳ５１５において、ジェネリック　ＳＩＰ　クライアント７はユーザの応答をトリガーとして、ＳＩＰ　ＧＷ５へＯＫメッセージを送信する。
【００７０】
ステップＳ５１６において、ＳＩＰ　ＧＷ５はＳＩＰ　ＭＳ１へＯＫメッセージを転送し、アプリケーション　データのＴＣＰ／ＩＰ上でのｓｔｒｅａｍｉｎｇ　ｆｌｏｗが開始される。
【００７１】
ステップＳ５１７において、ＳＩＰ　ＭＳ１はＡＣＫ　メッセージをＳＩＰ　ＧＷ５へ送信する。
【００７２】
ステップＳ５１８において、ＳＩＰ　ＧＷ５はＡＣＫ　メッセージをジェネリック　ＳＩＰ　クライアント７へ転送する。
【００７３】
図６のＳＩＰ着信は、ジェネリック　ＳＩＰ　クライアント７からＳＩＰ　ＭＳ１宛てに発信をする為の動作である。この動作は、ｒｅｇｉｓｔｒａｔｉｏｎ後に行われる。本発明のＳＩＰ　ＭＳ１は、一般的なＳＩＰ機能搭載ＭＳとは異なり、着信開始時にはＩＰアドレスは必要ない。
【００７４】
ステップＳ６０１において、ジェネリック　ＳＩＰ　クライアント７はＳＩＰ　ＧＷ５に対してＩｎｖｉｔｅ　メッセージを送信する。Ｉｎｖｉｔｅメッセージは通信相手のＳＩＰ　ＩＤと、音声や動画像等の種別とｐｏｒｔ番号等を示すＳＤＰを含む。
【００７５】
ステップＳ６０２において、ＳＩＰ　ＧＷ５はＨＬＲ／ＨＳＳ４に対してＳＩＰ　ＩＤを送信する。
【００７６】
ステップＳ６０３において、ＨＬＲ／ＨＳＳ４はＳＩＰ　ＭＳ１のＩＭＳＩをＳＩＰ　ＩＤを元にデータベースから検索し、ＳＩＰ　ＧＷ５へ送信する。
【００７７】
ステップＳ６０４において、ＳＩＰ　ＧＷ５はＩＭＳＩを元に、ＳＩＰＭＳ１に対するｐａｇｉｎｇ　メッセージを送信する。
【００７８】
ステップＳ６０５において、ＳＩＰ　ＭＳ１はＳＩＰ　ＧＷ５に対してＰａｇｉｎｇ　Ｒｅｓｐｏｎｓｅ　メッセージ（又はｓｅｒｖｉｃｅ　ｒｅｑｕｅｓｔ）を送信し、ＳＩＰ　ＧＷ５と通信可能な状態となる。
【００７９】
ステップＳ６０６において、ＳＩＰ　ＧＷ５はステップＳ６０１で取得したＩｎｖｉｔｅ　メッセージをＳＩＰ　ＭＳ１へ転送する。
【００８０】
ステップＳ６０７において、ＳＩＰ　ＭＳ１は受信したＳＤＰを解析し、自分の能力に適合するようにＳＤＰを修正し、ＳＩＰ　ＧＷ５へ送信する。
【００８１】
ステップＳ６０８において、ＳＩＰ　ＧＷ５はＳＩＰ　ＭＳ１へＳＤＰを送信する。
【００８２】
ステップＳ６０９において、ジェネリック　ＳＩＰ　クライアント７は受信したＳＤＰを判断し、最終的に使用するＳＤＰを決め、ＳＩＰ　ＧＷ５へｆｉｎａｌ　ＳＤＰとして転送する。
【００８３】
ステップＳ６１０において、ＳＩＰ　ＧＷ５は受信したｆｉｎａｌ　ＳＤＰをＳＩＰ　ＭＳ１へ転送する。
【００８４】
またステップＳ６１１において、ＳＩＰ　ＭＳ１は、ｆｉｎａｌ　ＳＤＰの内容に沿ったＡｃｔｉｖａｔｅ　ＰＤＰ　Ｃｏｎｔｅｘｔ　ＲｅｑｕｅｓｔをＳＩＰ　ＧＷ５へ送信する。
【００８５】
ステップＳ６１２において、ＳＩＰ　ＧＷ５はＤＨＣＰ等を用いてＩＰアドレスを獲得し、ＳＩＰ　ＭＳ１へＡｃｔｉｖａｔｅ　ＰＤＰ　Ｃｏｎｔｅｘｔ　Ａｃｃｅｐｔを送信し、ＳＩＰ　ＭＳ１はこの時点でＴＣＰ／ＩＰを使用しての通信が可能となる。
【００８６】
ステップＳ６１３において、ジェネリック　ＳＩＰ　クライアント７はｓｕｃｃｅｓｓ　ｍｅｓｓａｇｅ（”Ｒｅｓｏｕｒｃｅ　Ｒｅｓｅｒｖａｔｉｏｎ　Ｓｕｃｃｅｓｓｆｕｌ”　メッセージ）を、ＳＩＰ　ＧＷ５へ送信する。
【００８７】
ステップＳ６１４において、ＳＩＰ　ＧＷ５はｓｕｃｃｅｓｓ　ｍｅｓｓａｇｅをＳＩＰ　ＭＳ１へ転送する。
【００８８】
ステップＳ６１５において、ＳＩＰ　ＭＳ１はユーザへのａｌｅｒｔｉｎｇを開始し、ＳＩＰ　ＧＷ５へＲｉｎｇｉｎｇ　メッセージを送信する。
【００８９】
ステップＳ６１６において、ＳＩＰ　ＧＷ５はジェネリック　ＳＩＰ　クライアント７へＲｉｎｇｉｎｇ　メッセージを転送する。
【００９０】
ステップＳ６１７において、ＳＩＰ　ＭＳ１はユーザの応答をトリガーとして、ＳＩＰ　ＧＷ５へＯＫメッセージを送信する。
【００９１】
ステップＳ６１８において、ＳＩＰ　ＧＷ５はジェネリック　ＳＩＰ　クライアント７へＯＫ　メッセージを転送し、アプリケーションデータのＴＣＰ／ＩＰ上でのｓｔｒｅａｍｉｎｇ　ｆｌｏｗが開始される。
【００９２】
ステップＳ６１９において、ジェネリック　ＳＩＰ　クライアント７はＡＣＫ　メッセージをＳＩＰ　ＧＷ５へ送信する。
【００９３】
ステップＳ６２０において、ＳＩＰ　ＧＷ５はＡＣＫ　メッセージをＳＩＰ　ＭＳ１へ転送する。
【００９４】
以上の動作により、ＩＰアドレスが未割当の状態で、ＳＩＰによるセッションの開始が可能となる。
【００９５】
図７は本発明の他の実施形態を示すシーケンスチャートである。図７のものはＲｅｇｉｓｔｒａｔｉｏｎ　を位置登録動作（ａｔｔａｃｈ）に連動して、ＳＩＰのｒｅｇｉｓｔｒａｔｉｏｎ動作を省略するという方法である。
【００９６】
電源投入後、ステップＳ７０１においてＳＩＰ　ＭＳ１は位置登録動作を行う。この際に，ＳＩＰ　ＭＳ１はＳＩＰ　ＧＷ５に対してＡＴＴＡＣＨ　ＲＥＱＵＥＳＴ　メッセージ（ＩＭＳＩを含む）を送信するが、このメッセージを拡張して、ＳＩＰ　ＩＤ情報も付与する。
【００９７】
ステップＳ７０２において、ＳＩＰ　ＧＷ５はステップＳ７０１で既に取得したＩＭＳＩとＳＩＰ　ＩＤをＨＬＲ／ＨＳＳ４へ転送する。
【００９８】
ステップＳ７０３において、ＨＬＲ／ＨＳＳ４は位置登録完了を示すＡＴＴＣＨ　ＡＣＣＥＰＴ（ＩＭＳＩを含む）をＳＩＰ　ＧＷ５に送信する際に、ＳＩＰのＯＫメッセージ情報も付与する。
【００９９】
ステップＳ７０４において、ＳＩＰ　ＧＷ５はＳＩＰ　ＭＳ１に対して、ステップＳ７０３において、ＨＬＲ／ＨＳＳ４はＳＩＰ　ＧＷ５に対して、受信したメッセージを転送する。以上により、電源投入時に位置登録動作の他に、ＳＩＰのＲｅｇｉｓｔｒａｔｉｏｎを行う動作を省略する事ができる。
【０１００】
この実施形態によれば、メッセージが減ることによる無線資源の節約、及び、電源投入後待ち受けまでの時間を短縮できるという効果を奏する。
【０１０１】
図８は、本発明の方法による場合と従来の方法による場合とのヘッダサイズを比較して表した図である。従来の方法では、ＳＩＰメッセージを送信する際に、ＩＰＶ４で４４ｏｃｔｅｔ、ＩＰＶ６で６４ｏｃｔｅｔのヘッダが追加される。但し、ＴＣＰ／ＩＰに関する情報は殆ど使用されない。即ち、殆どのＳＩＰメッセージで同じ固定値である。
【０１０２】
図９は本発明の方法による場合と従来の方法による場合とでのメッセージシーケンスの比較を示す図である。この例では、ｒｅｇｉｓｔｒａｔｉｏｎのメッセージシーケンスを比較している。従来の方法では、ＳＩＰのｒｅｇｉｓｔｒａｔｉｏｎまでに、ＰＤＰｃｏｎｔｅｘｔの確立（ＩＰアドレスの取得）、ＲＡＤＩＯ　ＢＥＡＲＥＲの確立（実際にＩＰを送受信する無線リソースの獲得）、ＴＣＰコネクションの確立、ＳＩＰのｒｅｇｉｓｔｒａｔｉｏｎ、ＴＣＰコネクションの解放が必要であったが、本発明の方法によれば、ＴＣＰ／ＩＰを使用しないため、ＳＩＰのｒｅｇｉｓｔｒａｔｉｏｎのみ必要である。
【０１０３】
以上、本発明による携帯電話システムにおける通信制御方法の好適実施形態の構成および動作を詳述した。しかし、斯かる実施形態は、本発明の単なる例示に過ぎず、何ら本発明を限定するものではない。本発明の要旨を逸脱することなく、特定用途に応じて種々の変形変更が可能であること、当業者には容易に理解できよう。
【０１０４】
【発明の効果】
本発明によれば、次のような効果を奏する。
携帯電話をＳＩＰ対応のシステムとしたときに、ＩＰアドレスが割り当てられていないＭＳ（Ｍｏｂｉｌｅ　Ｓｔａｔｉｏｎ：携帯電話移動機）に対して、ＳＩＰのセッションを開始する事が可能になる。
【０１０５】
ｒｅｇｉｓｔｒａｔｉｏｎ後の待ち受け中、ＭＳに対してＩＰアドレスを割り当てる必要がなく、移動機の待ち受け動作中に、常にＩＰアドレスを管理しておく必要がなく、実装が容易になる。
【０１０６】
ＳＩＰシグナリングにＴＣＰ／ＩＰを用いず、ＴＣＰ／ＩＰのヘッダ部分のｏｖｅｒｈｅａｄを削減し、無線資源を効率よく使用できる。
【図面の簡単な説明】
【図１】本発明のシステム全体の構成示すブロック図である。
【図２】本発明に係るＳＩＰ　ＭＳとＳＩＰ　ＧＷとの構成を示すブロック図である。
【図３】本発明のプロトコルを説明するための図である。
【図４】本発明の実施形態を示すシーケンスチャートである。
【図５】本発明の実施形態を示すシーケンスチャートである。
【図６】本発明の実施形態を示すシーケンスチャートである。
【図７】本発明の他の実施形態を示すシーケンスチャートである。
【図８】本発明の方法による場合と従来の方法による場合とのヘッダサイズを比較して表した図である。
【図９】本発明の方法による場合と従来の方法による場合とでのメッセージシーケンスの比較を示す図である。
【図１０】従来のＳＩＰシステム全体の構成を表すブロック図である。
【図１１】図１０のシステムに係るプロトコルを表す図である。
【符号の説明】
１　　　　　　ＳＩＰ　ＭＳ
２　　　　　　ＢＳＳ
３　　　　　　モバイルネットワーク
４　　　　　　ＨＬＲ／ＨＳＳ
５　　　　　　ＳＩＰ　ＧＷ
６　　　　　　インターネット
７　　　　　　ジェネリック　ＳＩＰ　クライアント
【図１】
2004023336.tif 000003
【図２】
2004023336.tif 000004
【図３】
2004023336.tif 000005
【図４】
2004023336.tif 000006
【図５】
2004023336.tif 000007
【図６】
2004023336.tif 000008
【図７】
2004023336.tif 000009
【図８】
2004023336.tif 000010
【図９】
2004023336.tif 000011
【図１０】
2004023336.tif 000012
【図１１】
2004023336.tif 000013